(57)【要約】【課題】光学的データ記録装置が異なることや製造時のバラツキなどにより光学系の特性が異なっても、同一あるいは同一に近いアシンメトリ値で記録が可能となる光学的データ記録装置を提供する。【解決手段】アシンメトリ値が所定範囲値であることが既知である標準ピットを含む部分を読み出し、標準ピットアシンメトリ値を算出し、算出された標準ピットアシンメトリ値と、前記所定範囲値とを比較して読出誤差値を算出し、複数のレーザパワー値にてレーザパワー値に対応する複数の試験ピットを記録し、記録された試験ピットを読み出し、前記読出誤差値を用いて試験ピットアシンメトリ値を修正した修正後試験ピットアシンメトリ値を得て、修正後試験ピットアシンメトリ値と、これに対応する前記複数のレーザパワー値から本番記録用レーザパワーを設定する光学的データ記録装置を提供する。【選択図】図１
2008027470.tif 000002
【特許請求の範囲】
【請求項１】
光学的記録媒体の部分のうち、アシンメトリ値が所定範囲値であることが既知である標準ピットを含む部分を、光ピックアップを駆動して読み出し、標準ピットアシンメトリ値を算出する標準アシンメトリ値算出部と、
算出された標準ピットアシンメトリ値と、前記所定範囲値とを比較して光ピックアップの読出誤差値を算出する読出誤差値算出部と、
複数のレーザパワー値にて光ピックアップを駆動してレーザパワー値に対応する複数の試験ピットを記録する試験ピット記録部と、
記録された試験ピットを、光ピックアップを駆動して読み出して算出されるアシンメトリ値である試験ピットアシンメトリ値を、前記読出誤差値を用いて修正した修正後試験ピットアシンメトリ値を得る修正部と、
修正後試験ピットアシンメトリ値と、これに対応する前記複数のレーザパワー値から光ピックアップに対する本番記録用レーザパワー値を設定する設定部と、
を備える光学的データ記録装置。
【請求項２】
前記光学的記録媒体はＤＶＤ−Ｒであり、前記標準ピットはＣＤＺである請求項１に記載の光学的データ記録装置。
【請求項３】
光学的記録媒体の部分のうち、アシンメトリ値が所定範囲値であることが既知である標準ピットを含む部分を、光ピックアップを駆動して読み出し、標準ピットアシンメトリ値を算出する標準アシンメトリ値算出ステップと、
算出された標準ピットアシンメトリ値と、前記所定範囲値とを比較して光ピックアップの読出誤差値を算出する読出誤差値算出ステップと、
複数のレーザパワー値にて光ピックアップを駆動してレーザパワー値に対応する複数の試験ピットを記録する試験ピット記録ステップと、
記録された試験ピットを光ピックアップを駆動して読み出して算出されるアシンメトリ値である試験ピットアシンメトリ値を、前記読出誤差値を用いて修正した修正後試験ピットアシンメトリ値を得る修正ステップと、
修正後試験ピットアシンメトリ値と、これに対応する前記複数のレーザパワー値から光ピックアップに対する本番記録用レーザパワー値を設定する設定ステップと、
からなる光学的データ記録装置の動作方法。
【請求項４】
前記光学的記録媒体はＤＶＤ−Ｒであり、前記標準ピットはＣＤＺである請求項３に記載の光学的データ記録装置の動作方法。
【発明の詳細な説明】
【技術分野】
【０００１】
本発明は、光学的データ記録装置及び、光学的データ記録装置の動作方法に関する。特に、光学的記録媒体ごとに適したレーザパワーを設定する技術に関する。
【背景技術】
【０００２】
光学的記録媒体として、ＣＤ−Ｒ（Ｃｏｍｐａｃｔ  Ｄｉｓｃ  Ｒｅｃｏｒｄａｂｌｅ）、ＤＶＤ（Ｄｉｇｉｔａｌ  Ｖｅｒｓａｔｉｌｅ  Ｄｉｓｃ）−Ｒ、ＤＶＤ−ＲＷ、ＤＶＤ−ＲＡＭ、Ｂｌｕ−ｒａｙ−Ｒなどが知られている。これらの光学的記録媒体には、レーザ光が記録面に照射されることにより、記録面に存在する物質の相変化や化学変化により、光の反射率の低いピットと光の反射率の高いランドとの列が形成されることにより、情報が記録される。
【０００３】
したがって、光学的記録媒体にデータを記録するための装置である光学的データ記録装置においては、データの記録の際に用いるレーザパワーの設定が重要となる。このため、データの本番の記録に先立って、レーザパワーを順次切換え、光学的記録媒体の試し書き領域にテスト用のデータを記録し、記録されたテスト用のデータを読み出して、光学的記録媒体に最適なレーザパワーを設定することが行なわれる。記録されたテスト用のデータを読み出すときには、アシンメトリ値がレーザパワー毎に算出され、目標とするアシンメトリ値になるレーザパワー、あるいは、目標とするアシンメトリ値に最も近いレーザパワーが選択され、本番の記録のために設定がされる。
【０００４】
目標とするアシンメトリ値の設定のために、すでに本番の記録がされたデータが存在すれば、そのデータを読み取ってアシンメトリ値を算出する技術が知られている（例えば、特許文献１参照。）。このようにすることにより、本番のデータを記録するたびに発生するアシンメトリ値の変動を減少させ、データ再生時のエラーレートを減少させることができる。
【特許文献１】特開平８−５０７２２号公報
【発明の開示】
【発明が解決しようとする課題】
【０００５】
しかしながら、光学的データ記録装置の光ピックアップなどの光学系は全く同一の特性を有するように作ることは困難であるので、同じ記録状態の光学的記録媒体であっても、光学的データ記録装置が異なることにより光学系の特性が異なると、データの読み出しを行なって算出されるアシンメトリ値は同一になるとは限らない。このため、特許文献１などに開示されている技術を用いるだけでは、ある光学的データ記録装置によって記録媒体にデータを記録した後に、別の光学的データ記録装置によってその光学的記録媒体にデータを記録すると、同一のアシンメトリ値として記録されるとは限らない。このため、エラーレートが充分に下がらないという課題がある。
【０００６】
そこで、本発明では、光学的データ記録装置が異なることにより光学系の特性が製造時のバラツキなどにより異なっても、同一あるいは同一に近いアシンメトリ値で記録が可能となる光学的データ記録装置及び、光学的データ記録装置の動作方法を提供することを目的とする。
【課題を解決するための手段】
【０００７】
かかる目的を達成するために、本発明では、光学的記録媒体の部分のうち、アシンメトリ値が所定範囲値であることが既知である標準ピットを含む部分を、光ピックアップを駆動して読み出し、標準ピットアシンメトリ値を算出し、算出された標準ピットアシンメトリ値と、前記所定範囲値とを比較して光ピックアップの読出誤差値を算出し、複数のレーザパワー値にて光ピックアップを駆動してレーザパワー値に対応する複数の試験ピットを記録し、記録された試験ピットを、光ピックアップを駆動して読み出して得られるアシンメトリ値である試験ピットアシンメトリ値を算出し、前記読出誤差値を用いて試験ピットアシンメトリ値を修正した修正後試験ピットアシンメトリ値を得て、修正後試験ピットアシンメトリ値と、これに対応する前記複数のレーザパワー値から光ピックアップに対する本番記録用レーザパワーを設定する光学的データ記録装置を提供する。
【０００８】
これにより、たとえ、光ピックアップなどの光学系などの特性にバラツキがあったとしても、アシンメトリ値が所定範囲値であることが既知である標準ピットを含む部分を読み出して、標準ピットアシンメトリ値と前記所定範囲値とを比較することにより、アシンメトリ値の算出の誤差を得ることができる。記録されたテスト用のデータを読み出して本番記録用のレーザパワーを設定する際に、この得られた誤差を考慮に入れることにより、記録媒体に最適なレーザパワーを設定することが可能となり、課題が解決される。
【０００９】
また、光学的記録媒体は、ＤＶＤ−Ｒであり、前記標準ピットを含む部分は、ＤＶＤ−Ｒなどの規格として定められているＣＤＺ（Ｃｏｎｔｒｏｌ  Ｄａｔａ  Ｚｏｎｅ）であってもよい。
【００１０】
ＤＶＤ−ＲのＣＤＺは、光学的記録媒体の製造メーカによってプリレコードされた領域であるため、記録の品質が高く、特に、アシンメトリ値が一定の範囲内に保たれていることが既知であるので、課題が解決される。
【発明の効果】
【００１１】
本発明により、光学的データ記録装置が異なることや製造時のバラツキなどにより光学系の特性が異なっても、同一あるいは同一に近いアシンメトリ値で記録が可能となる光学的データ記録装置及び、光学的データ記録装置の動作方法を提供することができる。
【発明を実施するための最良の形態】
【００１２】
以下、本発明を実施する最良の形態について、図を参照しながら説明を行なう。なお、本発明は、以下の説明の要旨を逸脱しない限りにおいて、種々なる態様で実施し得る。
【００１３】
（光学的データ試験装置の構成）
図１は、本発明に係る光学的データ記録装置の機能ブロック図を例示する。光学的データ記録装置１００は、標準アシンメトリ値算出部１０１と、読出誤差値算出部１０２と、試験ピット記録部１０３と、修正部１０４と、設定部１０５と、を備える。
【００１４】
「標準アシンメトリ値算出部」１０１は、標準アシンメトリ値を算出する。ここに、「標準アシンメトリ値」とは、光学的記録媒体の部分のうち、標準ピットを含む部分を、光ピックアップを駆動して読み出して算出されるアシンメトリ値である。また、「標準ピットを含む部分」とは、光学的記録媒体の記録面のうち、アシンメトリ値が所定範囲値であることが既知である部分をいう。ここでいう「アシンメトリ値が所定範囲値であることが既知」とは、読み出しに誤差が生じない特性を有する光ピックアップを備えた理想的な読み取り装置を用いた場合に算出されるアシンメトリ値が、所定の範囲に入ることを意味する。
【００１５】
「アシンメトリ値」とは、光学的記録媒体に記録されたピットとランドとの列として記録されたデータを読み出すことにより、反射光の光量の変化に応じて変化する再生信号から算出される値の一つである。具体的には、ピットとランドとの変化の周期が短い（例えば、３Ｔ（Ｔは所定の定数とする））部分での再生信号の振幅中心に対する、ピットとランドとの変化の周期が長い（例えば、１１Ｔ）部分での再生信号の振幅中心のずれの割合を示す値である。
【００１６】
図２は、アシンメトリ値の算出態様の一例である。図２の左下に示すように、ピット（例えば、黒い部分）とランド（例えば、黒くない部分）とのそれぞれが、長い周期で交互に並んでいるとする（なお、ここに「長い」とは、図２の右下に示すピットとランドとの長さに比べて長いことを意味し、例えば、ピットとランドの長さが１１Ｔで表わされる量である）。すると、この部分の再生信号は、図２の左上に示すように、ピットとランドとの長さに応じた長い時間周期（例えば、２２Ｔに相当する時間周期）で変化する。このときの再生信号の最大値をＸ１、最小値をＸ４とすると、再生信号の振幅中心は、（Ｘ１＋Ｘ４）／２となる。次に、図２の右下にあるようにピットとランドとのそれぞれが、短い周期で交互に並んでいるとする（例えば、長さが３Ｔ）。すると、この部分の再生信号は、図２の右上に示すように、ピットとランドとの長さに応じた短い周期（例えば、６Ｔに相当する時間周期）で変化する。このときの再生信号の最大値をＸ２、最小値をＸ３とすると、再生信号の振幅中心は、（Ｘ２＋Ｘ３）／２となる。従って、ピットとランドとの変化の周期が短い部分での再生信号の振幅中心に対する、ピットとランドとの変化の周期が長い部分での再生信号の振幅中心のずれの割合であるアシンメトリ値は、例えば、（（Ｘ１＋Ｘ４）／２−（Ｘ２＋Ｘ３）／２）／（Ｘ１−Ｘ４）として求められる。
【００１７】
アシンメトリ値は、データを記録する時のレーザパワーに依存する。すなわち、レーザパワーが小さいと、ピットの長さが短くなり、逆にランドの長さが短くなるため、Ｘ３、Ｘ４の値が大きくなるが、周期の長い部分におけるＸ１、Ｘ４の値の変化は小さいため、アシンメトリ値は小さくなる。逆にレーザパワーが大きいと、アシンメトリ値は大きくなる。
【００１８】
図３は、光学的記録媒体のフォーマットを例示する。光学的記録媒体３００は、試し書き領域３０１と、リードイン領域３０２と、データ領域３０３と、リードアウト領域３０４とからなる。「試し書き領域」３０１は、後述するように、試験ピット記録部１０３が、複数のレーザパワー値にて、複数の試験ピットを記録する部分である。「リードイン領域」３０２は、インデックスなどのディスクに関する情報を格納するための領域である。「データ領域」３０３は、データ記録の本番時にデータが記録される領域である。「リードアウト領域」３０４は、データ領域３０３の終わりを示す領域である。
【００１９】
標準ピットの部分は、これらの領域の任意の部分に配置することができる。また、光学的記録媒体の製造時に標準ピットの部分が光学的記録媒体に記録されるのが好ましい。なぜならば、光学的記録媒体の特性について充分な知識、ノウハウを有しているのは、光学的記録媒体の製造者であるからであり、また、標準ピットの部分を読み出すことにより得られる再生信号のアシンメトリ値を、その知識、ノウハウとして知っている特性に応じて、所望の範囲内に納めることが容易に行なえるからである。
【００２０】
この観点からは、光学的データ記録装置が用いる光学的記録媒体は、ＤＶＤ−Ｒであり、標準ピットの部分は、ＣＤＺ（Ｃｏｎｔｒｏｌ  Ｄａｔａ  Ｚｏｎｅ）であることがより好ましい。なぜならば、ＤＶＤ−ＲのＣＤＺは、ＤＶＤの規格（例えば、ＤＶＤ  Ｓｐｅｃｉｆｉｃａｔｉｏｎ  ｆｏｒ  Ｒｅｃｏｒｄａｂｌｅ  Ｄｉｓｃ  ｆｏｒ  Ｇｅｎｅｒａｌ／Ｐａｒｔ  １：Ｐｈｙｓｉｃａｌ  Ｓｐｅｃｉｆｉｃａｔｉｏｎ  Ｖｅｒｓｉｏｎ  ２．０など）により、ＣＤＺのＥＣＣ（Ｅｒｒｏｒ  Ｃｏｒｒｅｃｔｉｎｇ  Ｃｏｄｅｓ）ブロックは、プリレコードされると定められているからである。
【００２１】
図４は、ＤＶＤ−ＲのＣＤＺを構成するＥＣＣブロックの構造を例示する。ＤＶＤ−ＲのＣＤＺは、セクター番号１９３０２４から開始する１９２ＥＣＣブロック（３０７２セクター）からなる。すなわち、一つのＥＣＣブロックは、１６セクターからなる。そこで、図４の左側には、ＥＣＣブロック内での相対的なセクター番号（以下、「相対セクター番号」という。）を示している。相対セクター番号０の部分４０１には、Ｐｒｅ−ｒｅｃｏｒｄｅｄ  Ｐｈｙｓｉｃａｌ  ｆｏｒｍａｔ  ｉｎｆｏｒｍａｔｉｏｎが記録され、それは、例えば、Ｂｏｏｋ  ｔｙｐｅ、Ｐａｒｔ  ｖｅｒｓｉｏｎ、Ｄｉｓｃ  ｓｉｚｅなどを含む。相対セクター番号１の部分４０２には、Ｄｉｓｃ  ｍａｎｕｆａｃｔｕｒｉｎｇ  ｉｎｆｏｒｍａｔｉｏｎが記録される。そして、相対セクター番号２から１５の部分は、ｓｙｓｔｅｍ  ｕｓｅの部分である。
【００２２】
したがって、標準アシンメトリ値算出部１０１は、光ピックアップを用いて、例えば、セクター番号１９３０２４から３０７２セクター分のデータを読み取って得られる再生信号から、標準アシンメトリ値を算出する。
【００２３】
「読出誤差値算出部」１０２は、光ピックアップの読出誤差値を算出する。ここに「光ピックアップの読出誤差値」とは、算出された標準ピットアシンメトリ値と、前記所定範囲値とを比較して、算出された標準ピットアシンメトリ値の誤差として得られる値である。「算出された標準ピットアシンメトリ値」とは、標準アシンメトリ値算出部１０１により算出された標準ピットアシンメトリ値である。また、「前記所定範囲値」とは、標準ピットの部分を読み出すことで得られる再生信号のアシンメトリ値がその範囲に入ることが既知である範囲を意味する。この所定範囲値は、例えば、±５％として光学的データ記録装置１００に設定などしておいてもよいし、光学的記録媒体の特定の部分、例えば、ＣＤＺの部分に記録されているようになっていてもよい。また、光学的記録媒体に記録された部分の値を読出し、その読み出された値（例えば、光学的記録媒体の製造者番号）と所定範囲値とを関連づけるテーブルが光学的データ記録装置１００に記録されているようになっており、そのテーブルを参照して、所定範囲値を求めるようになっていてもよい。そして、光ピックアップの読出誤差値は、例えば、所定範囲値の両端の値それぞれから標準アシンメトリ値を差し引くことで算出されるようになっていてもよい。
【００２４】
図５は、光ピックアップの読出誤差値の算出の一例を示す。標準アシンメトリ値算出部１０１で算出された標準ピットアシンメトリ値が１５％であり、所定範囲値が、−４％〜６％であるとする。このとき、読出誤差値は、例えば、−４％から１５％を引いた−１９％と、６％から１５％を引いた−９％となる。結果として、読出誤差値は、−１９％〜−９％となる。また、このように算出された読出誤差値の中央値を算出するようになっていてもよい。このような算出を行なうと、図５の場合には、−１４％が読出誤差値となる。これにより、光学的データ記録装置１００が、その光ピックアップを用いて光学的記録媒体に記録されたデータを読出して得られる再生信号から算出されるアシンメトリ値から１４％を引くと、真のアシンメトリ値が得られるとみなすことができる。ここに「真のアシンメトリ値」とは、光ピックアップなどの光学系に、その製造による特性のバラツキなどによる誤差が存在しない理想的な装置を使用したと仮定した場合に算出されるアシンメトリ値を意味する。
【００２５】
「試験ピット記録部」１０３は、複数の試験ピットを記録する。「試験ピット」とは、試し書き領域３０１に、所定のレーザパワー値にてテストデータを記録することにより得られるピットとランドとの列を意味する。「複数の試験ピット」とは、複数の異なるレーザパワー値でテストデータを記録することを意味する。いくつの異なるレーザパワー値でテストデータを記録するかは、光学的データ記録装置１００の製造時などに設定される。
【００２６】
「修正部」１０４は、修正後試験ピットアシンメトリ値を得る。「修正後試験ピットアシンメトリ値」とは、記録された試験ピットを、光ピックアップを駆動して読出して算出されるアシンメトリ値（試験ピットアシンメトリ値）を、前記読出誤差値を用いて修正して得られるアシンメトリ値である。「記録された試験ピット」とは、試験ピット記録部１０３により記録された複数の試験ピットを意味する。「前記読出誤差値」とは、読出誤差値算出部１０２により算出された読出誤差値である。
【００２７】
図６は、試験ピット記録部１０３により複数のレーザパワー値を用いて記録された試験ピットを読み出して算出されるアシンメトリ値との関係を例示する。光学的データ記録装置が、８個の異なるレーザパワー値でテストデータを記録したとすると、ｉ＝１、２、…、８について、レーザパワー値Ｐｉに対応して、試験ピットアシンメトリ値として、ａｉが得られたとする。このとき、修正部１０４は、読出誤差値算出部１０２により算出された読出誤差値を用いて、ａｉを修正する。例えば、読出誤差値が−１４％であれば、ａｉ−０．１４を修正後試験ピットアシンメトリ値として算出する。
【００２８】
「設定部」１０５は、光ピックアップに対する本番記録用レーザパワー値を設定する。「本願記録用レーザパワー値」とは、試し書き領域３０１を除く部分にデータを記録する際に用いるレーザパワー値である。このレーザパワー値は、修正後試験ピットアシンメトリ値と、これに対応する複数のレーザパワー値から算出される。例えば、試し書き領域３０１を除く部分にデータを記録する際の目標となるアシンメトリ値が１％であるとすれば、修正部１０４により算出された修正後試験ピットアシンメトリ値であるａｉ−０．１４のうち、１％に最も近い値に対応するレーザパワー値を設定する。あるいは、ｉ＝１、２、…、８に対するａｉ−０．１４を用いて最小二乗法などにより、レーザパワー値に対する修正後試験ピットアシンメトリ値を近似する一次式などを近似式として求め、修正後試験ピットアシンメトリ値が１％となる時のレーザパワー値を求めるようになっていてもよい。
【００２９】
（光学的データ記録装置における処理）
図７は、光学的データ記録装置１００の動作による処理の流れのフローチャートを例示する。光学的データ記録装置１００は、例えば、光学的記録媒体が装着され、試し書き領域３０１を除く部分にデータの記録を開始するコマンドなどを外部ホスト（光学的データ記録装置が接続されるコンピュータやＤＶＤレコーダ本体など）などから取得する都度、図７の処理を実行する。
【００３０】
ステップＳ７０１として、標準アシンメトリ値を算出する処理を行なう。ステップＳ７０１での処理は、標準アシンメトリ値算出部１０１を動作させることにより行なわれる。算出された標準アシンメトリ値は、例えば、光学的データ記録装置１００の有する書き換え可能なメモリ領域に保持される。
【００３１】
ステップＳ７０２として、読出誤差値を算出する処理を行なう。ステップＳ７０２での処理は、読出誤差値算出部１０２を動作させることにより行なわれる。すなわち、あらかじめ記憶しているなどして取得される所定範囲値を用いて、ステップＳ７０１でメモリ領域に保持された標準アシンメトリ値から読出誤差値を算出する。算出された読出誤差値は、光学的データ記録装置１００の有する書き換え可能なメモリ領域などに保持される。
【００３２】
ステップＳ７０３として、複数の試験ピットを記録する処理を行なう。ステップＳ７０３の処理は、試験ピット記録部１０３を動作させることにより行なわれる。例えば、ｉ＝１、２、…、８について、レーザパワー値をＰｉに設定してテストデータを試し書き領域３０１に記録して、試験ピットを記録する。
【００３３】
ステップＳ７０４として、それぞれのレーザパワー値Ｐｉに対応して記録された試験ピットを読出し、アシンメトリ値ａｉを算出し、ステップＳ７０２で記憶された読出誤差値を読出して、アシンメトリ値ａｉを修正する処理が行なわれる。この処理は、修正部１０４を動作させることにより行なわれる。この処理の結果得られたアシンメトリ値は、修正後試験ピットアシンメトリ値としてメモリ領域などに記憶する。
【００３４】
ステップＳ７０５として、修正後試験ピットアシンメトリ値を読み出すなどして取得して、目標とするアシンメトリ値に対応するレーザパワー値を算出して、本番記録用レーザパワー値として設定する処理が行なわれる。この処理は、設定部１０５を動作させることにより行なわれる。
【００３５】
ステップＳ７０５が終了した後は、設定された本番記録用レーザパワー値を用いて、データを光学的記録媒体に記録することが行なわれる。
【００３６】
（光学的データ記録装置のハードウェア構成の例）
図８は、光学的データ記録装置のハードウェア構成図を例示する。光学的記録媒体８０１は、駆動モータ８０２により回転がされる。駆動モータ８０２に対しては、光ピックアップの位置にかかわらず、線速度が一定となるように制御がされる。レーザ駆動部８０３は、レーザ光を発する半導体レーザ素子８０４を制御する。半導体レーザ素子８０４から出たレーザ光は、レンズ８０５で平行なレーザ光となり、ビームスプリッタ８０６を通過し、対物用レンズ８０７を経て、光学的記録媒体８０１上に集光される。
【００３７】
再生時においては、半導体レーザ素子８０４から発せられ、光学的記録媒体で反射した光は、ビームスプリッタを経て、集光レンズ８０８により集光され、受光素子８０９に到達する。受光素子８０９は、受光した光の強度を電圧などにより表わされる再生信号に変換する。半導体レーザ素子８０４、レンズ８０５、ビームスプリッタ８０４、対物用レンズ８０７、受光素子８０９が光ピックアップを構成する。光ピックアップは、アクチュエータなどを用いて、光学的記録媒体の半径方向に移動可能である。この移動に伴って、線速度が一定になるように駆動モータ８０２が制御される。
【００３８】
受光素子８０９により変換された光の強度を示す再生信号は、アンプ８１０で適宜増幅され、アシンメトリ検出回路８１１と、データデコード回路８１２に入力される。アシンメトリ検出回路８１１により、再生信号からアシンメトリ値が算出される。また、データデコード回路８１２により、再生信号から、光学的記録媒体に記録されたデータがデコードされる。アシンメトリ検出回路８１１で検出されたアシンメトリ値と、データデコード回路８１２によりデコードされたデータは、中央演算回路８１３に入力される。
【００３９】
中央演算回路８１３は、アシンメトリ検出回路８１１で検出されたアシンメトリ値を用いて、修正後アシンメトリ値を算出したり、本番記録用レーザパワーを算出したりする。また、データデコード回路８１２によりデコードされたデータを、外部のホストに送信したり、光学的記録媒体に記録するべきデータをホストより受信したりする。ホストより受信されたデータは、データエンコード回路８１４に送られて、レーザ駆動部８０３を駆動する。また、モータ８０２の制御やアクチュエータによる光ピックアップの位置の制御をする。
【００４０】
特に、中央演算回路８１３は、標準アシンメトリ値算出部１０１、読出誤差値算出部１０２、試験ピット記録部１０３、修正部１０４、設定部１０５のそれぞれを実現するように動作し、図７に例示されるフローチャートの処理を行なうように動作する。すなわち、光ピックアップにより標準ピットの部分が読み出されるように光ピックアップを移動し、その時に、アシンメトリ検出回路８１１で算出される標準ピットアシンメトリ値を記憶する。また、標準ピットアシンメトリ値を読出し、取得した所定範囲値と比較をすることで、読出誤差値を算出し、記憶する。次に、光ピックアップを試し書き領域へのデータの記録、読出しが可能な位置に移動させ、レーザ駆動部を駆動させながら試験ピットを記録して、次に、試験ピットを読み出し、アシンメトリ検出回路８１１により得られるアシンメトリ値と、記憶された読出誤差値を読み出して、修正後試験ピットアシンメトリ値を算出して、目標とするアシンメトリ値に対応するレーザパワーを算出して設定を行なう。
【００４１】
また、中央演算回路８１３は、ＣＰＵ（Ｃｅｎｔｒａｌ  Ｐｒｏｃｅｓｓｉｎｇ  Ｕｎｉｔ）と、ＲＡＭなどの書き換え可能なメモリを用いて、プログラムを実行するように設計されていてもよい。そのプログラムは、光学的記録媒体の部分のうち、アシンメトリ値が所定範囲値であることが既知である標準ピットを含む部分を、光ピックアップを駆動して読み出し、標準ピットアシンメトリ値を算出する標準アシンメトリ値算出ステップと、算出された標準ピットアシンメトリ値と、前記所定範囲値とを比較して光ピックアップの読出誤差値を算出する読出誤差値算出ステップと、複数のレーザパワー値にて光ピックアップを駆動してレーザパワー値に対応する複数の試験ピットを記録する試験ピット記録ステップと、記録された試験ピットを、光ピックアップを駆動して読み出し、前記読出誤差値を用いて試験ピットアシンメトリ値を修正した修正後試験ピットアシンメトリ値を得る修正ステップと、修正後試験ピットアシンメトリ値と、これに対応する前記複数のレーザパワー値から光ピックアップに対する本番記録用レーザパワー値を設定する設定ステップと、をＣＰＵに実行させるためのプログラムである。また、このようなプログラムをフレキシブルディスクや、ＲＯＭ（Ｒｅａｄ  Ｏｎｌｙ  Ｍｅｍｏｒｙ）などの媒体に記録することも可能であることは言うまでも無い。
【産業上の利用可能性】
【００４２】
本発明に係る光学的データ記録装置及び、光学的データ記録装置の動作方法は、光学的データ記録装置が異なることにより光学系が異なっても、同一あるいは同一に近いアシンメトリ値で記録を可能とするので、産業上において有用である。
【図面の簡単な説明】
【００４３】
【図１】光学的データ記録装置の機能ブロック図
【図２】アシンメトリ値の算出態様の一例図
【図３】光学的記録媒体のフォーマットの一例図
【図４】ＤＶＤ−ＲのＣＤＺを構成するＥＣＣブロックの構造の説明図
【図５】光ピックアップの読出誤差値の算出の一例図
【図６】レーザパワー値とアシンメトリ値との関係の一例図
【図７】光学的データ記録装置における処理のフローチャート
【図８】光学的データ記録装置のハードウェア構成図
【符号の説明】
【００４４】
１００  光学的データ記録装置
１０１  標準アシンメトリ値算出部
１０２  読出誤差値算出部
１０３  試験ピット記録部
１０４  修正部
１０５  設定部
【図１】
2008027470.tif 000003
【図２】
2008027470.tif 000004
【図３】
2008027470.tif 000005
【図４】
2008027470.tif 000006
【図５】
2008027470.tif 000007
【図６】
2008027470.tif 000008
【図７】
2008027470.tif 000009
【図８】
2008027470.tif 000010